(57)【特許請求の範囲】
【請求項１】
視力増強デバイスのための設置アセンブリであって、該アセンブリは、以下：
ａ）視力増強ディスプレイを保持するためのディスプレイマウントであって、該ディスプレイマウントは、横方向での並進調節のための機構、実質的に水平な軸および実質的に垂直な軸に沿った回転調節のための１つ以上の機構、またはこれらの組み合わせを備える、ディスプレイマウント；
ｂ）固定端から自由端へと延びるアームであって、使用中位置において、使用者の眼の前方に位置決め可能である、アーム；
ｃ）該アームを、該使用者の頭への着用のための設置プラットフォームに接続するための、１つ以上の中間部材、
を備え、
該１つ以上の中間部材が、該アームの該固定端が取り付けられる、割り当てジョイントであって、該割り当てジョイントは、第一の回り継手および第二の回り継手を備え、該第一の回り継手は、使用中位置と、該使用中位置の上方または下方の１つ以上の格納位置との間での調節を提供するように適合された移動止めを有し、そして該第二の回り継手は、少なくとも右眼使用中位置および左眼使用中位置を含む複数の位置の間での調節を提供するように適合された移動止めを有する、割り当てジョイントを備え、
該設置アセンブリが、さらに、
ｄ）該使用者の頭に着用されるための設置プラットフォームに取り付けられたベース部材であって、該ベース部材は、視力増強デバイス架台のための係留点を提供し、該架台は、垂直軸上、水平軸上、および該視力増強デバイスの光軸上で回転調節可能であり、該ベース部材は、該設置プラットフォーム上で前後に並進調節可能である、ベース部材；ならびに
ｅ）該割り当てジョイントを該デバイス架台に接続するための中間部材、
を備える、
設置アセンブリ。
【請求項２】
前記ベース部材は、該ベース部材およびデバイス架台を所望の位置に保持するための摩擦機構を備え、該摩擦機構は、解放機構の片手での操作を介して解放可能である、請求項１に記載の設置アセンブリ。
【請求項３】
前記解放機構が、１対のレバーを備え、該レバーが、前記摩擦機構の解放を生じるように一緒に絞られるように適合されている、請求項２に記載の設置アセンブリ。
【請求項４】
前記摩擦機構が、ばね付勢されたアセンブリを備え、該アセンブリにおいて、該摩擦機構が解放されるまで、１つ以上のばねが、前記ベース部材およびデバイス架台を所望の位置で保持する、請求項２に記載の設置アセンブリ。
【請求項５】
前記垂直軸上、前記水平軸上、および前記光軸上での回転調節を提供するための、ばね付勢されたボールインソケット機構を備える、請求項１に記載の設置アセンブリ。
【請求項６】
前記ベース部材が、設置ポストを介して前記設置プラットフォームに取り付けられており、該設置プラットフォームが、前後のスロットを備え、該スロット内で、該ベース部材が、前後への並進調節のために移動するように適合されており、該ベース部材が、摩擦機構によって、該設置プラットフォームに対してばね付勢されており、これによって、該摩擦機構が解放されるまで、該ベース部材が摩擦によって適所に保持される、請求項１に記載の設置アセンブリ。
【請求項７】
前記ベース部材および視力増強デバイス架台が、以下：
１つの自由端、および前記設置プラットフォームによって保持される１つの端部を有する、設置ポスト；
該設置プラットフォームの外側表面に隣接する静止グリップであって、該静止グリップは、該設置ポストを軸方向に受容するための平坦な本体を備え、そして該静止グリップ本体から実質的に接線方向に延びる第一のレバーを有する、静止グリップ；
内側をねじ切りされた円筒形本体を備える作動ナットであって、該作動ナットは、該設置ポストと同軸であり、そして該作動ナット本体から実質的に接線方向に延びる第二のレバーを有する、作動ナット；
ねじればねであって、該ねじればねは、該作動ナットと同軸であり、そして該第一のレバーに隣接して整列される第一の突出部、および該第二のレバーに隣接して整列される第二の突出部を有し、該第一のレバーを該第二のレバーから離して偏倚させるための、ねじればね；
並進カラーであって、該並進カラーは、該設置ポスト上に軸上に設置されており、そして該作動ナット内に入れ子にされており、該並進カラーは、複数のスロットを備える円筒形の壁を有するカップを備え、該並進カラーは、該静止グリップに対して回転が固定されている、並進カラー；
摩擦カップであって、該摩擦カップは、該設置ポストに軸上で設置されており、そして該並進カラー内に入れ子にされており、該摩擦カップは、該並進カラー内の該スロットを通って延びる、外側をねじ切りされた複数の半径方向突出部を備え、該突出部は、該作動ナットの回転運動を、該摩擦カップの軸方向運動に変換するために、該作動ナットの内側のねじ山と嵌合するためのものであり、該摩擦カップは、部分球の形状の凹状内側表面を有する、摩擦カップ；
波形ばねであって、該波形ばねは、該並進カラーと該摩擦カップとの間で、該設置ポストと同軸状にコイル状になっており、該波形ばねは、該並進カラーを、該静止グリップに対して軸方向に偏倚させるためのものである、波形ばね；
を備え、
該視力増強デバイス架台が、該摩擦カップの内側表面とインターフェースするための部分的に球状のシェルを有し、該球状シェルは、該設置ポストを受け取るためのスロットを有し、該スロットは、実質的に垂直な軸に沿った該架台の回転調節を可能にするために充分な長さを有し、そして前記視力増強デバイスの光軸に沿った回転調節を可能にするために、該設置ポストの直径より充分に大きい幅を有し、そして
該視力増強デバイス架台が、球状座金を備え、該球状座金は、該設置ポストに軸上に設置され、そして該デバイス架台の内側表面と嵌合するための部分球状の凹状表面を有し、該球状座金は、該設置ポストの自由端の方への軸方向運動を抑制されている、
請求項１に記載の設置アセンブリ。
【請求項８】
前記アームが、前記使用中位置と非使用中位置との間で反転可能である、請求項１に記載の設置アセンブリ。
【請求項９】
前記反転可能なアームが、応力をかけられた金属部材を備える、請求項８に記載の設置アセンブリ。
【請求項１０】
前記横方向での並進調節のための機構が、並進ナットを備え、該並進ナットは、該ナットの回転を、前記スライドの並進に変換する、請求項１に記載の設置アセンブリ。
【請求項１１】
前記実質的に水平な軸および実質的に垂直な軸に沿った回転調整のための機構が、少なくとも３つの調節可能なジャッキねじのセットを備える、請求項１に記載の設置アセンブリ。
【請求項１２】
前記視力増強デバイスが、夜間視力を提供するための画像増倍ビデオカメラを備える、請求項１に記載の設置アセンブリ。
【請求項１３】
前記ディスプレイのディスプレイ光軸を前記視力増強デバイスの光軸と整列させるため、および該ディスプレイの光軸をディスプレイを見ている前記使用者の眼の視線と整列させるための、１つ以上の機構；
該視力増強デバイスの光軸との該ディスプレイの光軸の整列を変化させることなく、複数の自由度で、該視力増強デバイスを配向するための１つ以上の機構；ならびに
該ディスプレイを、使用中位置と少なくとも１つの格納位置との間でトグルするための１つ以上の機構、
をさらに備える、請求項１に記載の設置アセンブリ。
【発明の詳細な説明】
【技術分野】
【０００１】
本発明は、視力増強システム（特に、夜間視力システム）のための設置／調節機構に関し、そしてより具体的には、ビデオにより増強される夜間視力システムに関する。  
【背景技術】
【０００２】
特許文献１（Ｄｏｂｂｉｅら、本発明の共通の譲受人に譲渡され、本明細書中に参考として援用される）は、頭部設置アセンブリ、画像増倍ビデオカメラ、およびディスプレイを備える、ビデオにより増強される夜間視力システムを開示する。特許文献２および３（両方とも、発明者としてＤｏｂｂｉｅら名、本発明の共通の譲受人に譲渡され、本明細書中に参考として援用される）が、他の係属中の出願である。これらの出願は、ビデオにより増強された夜間視力システムとともに使用するための、頭部設置装置および頭部設置装置用の調節機構を、それぞれ開示する。
【０００３】
他の夜間視力デバイスおよび頭部設置システムもまた、当該分野において公知である。視力増強デバイスをヘッドギア（例えば、ヘルメットまたはヘッドマウント）に固定するための従来の設置機構は、デバイスを溶接ヘルメットのハーネスに固定するクランプ程度に単純であり得るか、デバイスを片目または両目の前方で位置決めするためのいくつかの調節の自由度を有するアセンブリ程度に複雑であり得る。
【０００４】
位置決め調節は、使用者の間での人間工学的変動性に起因して、望ましい。例えば、特定のヘッドギア上の永続的な位置に固定されるデバイスは、所定の集団における非常に少ない割合の人間の視線中のみに位置する。人間工学的変動に適合する目的で、いくつかの従来の機構は、前方傾斜、横方向スライド、および垂直方向調節を提供する。いくつかの設置機構上のさらなる特徴は、このデバイスの取り外しおよび／または跳ね上げ機構もしくはスライド機構を提供し、使用していない場合に、視線から離してこのデバイスを格納することを可能にする。従来の調節機構は、しばしば、使用者が、各自由度を連続的に調節することを必要とする。
【０００５】
理想的には、図１５に示されるように、視力増強デバイスまたはカメラの光軸ＯＡＣは、ディスプレイの光軸ＯＡＤと平行であり、そしてこれらの光軸の両方は、好ましくは、使用者の視線（これは、視面ＶＰに対して本質的に垂直である）と平行である。特に、ディスプレイを見ている使用者の眼を通る使用者の視線（ＬＳ）が、ディスプレイの光軸ＯＡＤと整列することが望ましい。しかし、ほとんどの視力増強デバイス設置機構は、光軸の整列（使用者の視線ＬＳに対する視力増強デバイスの光軸ＯＡＣの整列）を容易にするために充分な自由度を提供せず、そしてディスプレイの光軸ＯＡＤとセンサの光軸ＯＡＣとの間の平行性の調節も、使用者がディスプレイを見ている眼を通る使用者の視線とのディスプレイの光軸の整列も、提供しない。
【０００６】
さらに、複数の調節の自由度が利用可能である場合、この調節機構は、多数の別個のノブまたはレバーを、設置取付具上の位置に備え得、これらは、使用者が使用の間に見付け、そして操作することが困難であり得る。しばしば、調節は、反復してなされなければならない。なぜなら、１つのものの調節は、別のものの再配置を必要とするからである。例えば、光学系を傾斜させることによって、そのシステムの光軸が、使用者の視線から外れ得る。
【特許文献１】米国特許第６，５６０，０２９号明細書
【特許文献２】米国特許出願公開第２００３／０１１５６６１号明細書
【特許文献３】米国特許出願公開第２００３／０１１５６６２号明細書
【発明の開示】
【発明が解決しようとする課題】
【０００７】
従って、複数の自由度をまとめられた調節位置に組み込むこと、センサおよびディスプレイの光軸の整列のさらなる自由度を提供すること、ならびに調節機構の少なくともいくつかを一体化して、他の調節機構とのインターフェースなしに少なくともいくつかの機構の調節を可能にすることによって、以前に設計されたシステムを改善する増強を提供することが望ましい。設置システムが、以下のうちの１つ以上を可能にすることもまた、望ましい：マウントからのシステムの迅速な取り外し、右側／左側の適合性、格納構成へのデバイスの迅速な操作、および片手での作動。
【課題を解決するための手段】
【０００８】
（発明の要旨）
本発明は、一般に、視力増強デバイスおよび付随する視力増強ディスプレイのための設置アセンブリを包含する。この設置アセンブリは、視力増強ディスプレイを保持するためのディスプレイマウント；固定端から自由端へと延びるアームであって、使用者の眼の前方に位置決め可能であり、そしてディスプレイマウントが設置されるアーム；使用者の頭に着用される設置プラットフォームへの取り付けのためのベース部材であって、視力増強デバイス架台のための係留点を提供する、ベース部材；およびアームを視力増強デバイス架台に接続するための１つ以上の中間部材を備える。
【０００９】
１つの実施形態において、この設置システムは、ディスプレイの光軸を、視力増強デバイスの光軸、およびディスプレイを見ている使用者の眼を通る使用者の視線と整列させるための１つ以上の機構、ディスプレイの視線の軸とシステムの視線の軸との整列を変化させることなく、複数の自由度で視力増強デバイスを配向するための１つ以上の機構、ならびにディスプレイを使用中位置と少なくとも１つの格納位置との間でトグルするための１つ以上の機構を備える。
【００１０】
例えば、１つの実施形態において、ベース部材は、垂直軸上、水平軸上、および視力増強デバイスの光軸上で回転調節可能であり、そして設置プラットフォーム上で前後に並進調節可能である。
【００１１】
別の実施形態において、中間部材は、反転アームの固定端が取り付けられる割り当てジョイント、およびこの割り当てジョイントをデバイス架台に接続するための部材を備える。この割り当てジョイントは、少なくとも１つの回り継手を備え、この回り継手は、使用中位置と、使用中位置の上方または下方の少なくとも１つの格納位置との間での調節を提供するように適合された、移動止めを有する。この割り当てジョイントはまた、少なくとも１つの回り継手を備え得、この回り継手は、少なくとも右眼使用中位置および左眼使用中位置を含む複数の位置の間での調節を提供するように適合された、移動止めを有する。
【００１２】
なお別の実施形態において、ディスプレイマウントが設置されるアームは、使用中位置と非使用位置との間で反転可能である。
【００１３】
なお別の実施形態において、ディスプレイマウントは、横方向での並進調節のための機構、実質的に水平な軸および実質的に垂直な軸に沿った回転調節のための１つ以上の機構またはこれらの組み合わせを備える。
【００１４】
調節可能なベース部材、移動止めを有する回り継手を有する割り当てジョイント、反転可能なアーム、および調節可能なディスプレイマウントの任意の組み合わせを備える、本発明の実施形態が、これらの特徴の全てを有する実施形態を含めて、提供され得る。
【００１５】
このベース部材は、このベース部材およびデバイス架台を所望の位置で保持するための、摩擦機構を備え得る。ここで、この摩擦機構は、解放機構の片手での操作を介して解放可能である。この解放機構は、例えば、一緒に絞られて摩擦機構の解放を引き起こすように適合された１対のレバーを備える、解放機構である。
【００１６】
本発明とともに使用するために適切な例示的な視力増強デバイスとしては、夜間視力を提供するための画像増倍ビデオカメラが挙げられるが、これらに限定されない。
【００１７】
本発明は、以下を提供する：
（項目１）
視力増強デバイスおよび付随する視力増強ディスプレイのための設置アセンブリであって、該アセンブリは、以下：
ａ）該視力増強ディスプレイを保持するためのディスプレイマウントであって、該ディスプレイマウントは、横方向での並進調節のための機構、実質的に水平な軸および実質的に垂直な軸に沿った回転調節のための１つ以上の機構、またはこれらの組み合わせを備える、ディスプレイマウント；
ｂ）固定端から自由端へと延びるアームであって、該アームは、使用中位置において、使用者の眼の前方に配置可能であり、そして該アーム上に、該ディスプレイマウントが設置され、該アームは、該使用中位置と非使用中位置との間で反転可能である、アーム；
ｃ）該アームの該固定端が取り付けられる、割り当てジョイントであって、該割り当てジョイントは、第一の回り継手および第二の回り継手を備え、該第一の回り継手は、使用中位置と、該使用中位置の上方または下方の１つ以上の格納位置との間での調節を提供するように適合された、移動止めを有し、そして該第二の回り継手は、少なくとも右眼使用中位置および左眼使用中位置を含む複数の位置の間での調節を提供するように適合された移動止めを有する、割り当てジョイント；
ｄ）該使用者の頭に着用されるための設置プラットフォームに取り付けられたベース部材であって、該ベース部材は、視力増強デバイス架台のための係留点を提供し、該架台は、垂直軸上、水平軸上、および該視力増強デバイスの光軸上で回転調節可能であり、該ベース部材は、該設置プラットフォーム上で前後に並進調節可能である、ベース部材；ならびに
ｅ）該割り当てジョイントを該デバイス架台に接続するための中間部材、
を備える、設置アセンブリ。
（項目２）
視力増強デバイスおよび付随する視力増強ディスプレイのための設置アセンブリであって、該アセンブリは、以下：
ａ）該視力増強ディスプレイを保持するためのディスプレイマウント；
ｂ）固定端から自由端へと延びるアームであって、使用者の眼の前方に位置決め可能であり、そして該アーム上に、該ディスプレイマウントが設置される、アーム；
ｃ）該使用者の頭に着用されるための設置プラットフォームに取り付けられたベース部材であって、該ベース部材は、視力増強デバイス架台のための係留点を提供し、該架台は、垂直軸上、水平軸上、および該視力増強デバイスの光軸上で回転調節可能であり、該ベース部材は、該設置プラットフォーム上で前後に並進調節可能である、ベース部材；ならびに
ｄ）該アームを該視力増強デバイス架台に接続するための１つ以上の中間部材、
を備える、設置アセンブリ。
（項目３）
視力増強デバイスおよび付随する視力増強ディスプレイのための設置アセンブリであって、該アセンブリは、以下：
ａ）該視力増強ディスプレイを保持するためのディスプレイマウント；
ｂ）固定端から自由端へと延びるアームであって、使用者の眼の前方に位置決め可能であり、そして該アーム上に該ディスプレイマウントが設置される、アーム；
ｃ）該反転アームの該固定端が取り付けられる割り当てジョイントであって、該割り当てジョイントは、少なくとも１つの回り継手を備え、該回り継手は、使用中位置と、該使用中位置の上方または下方の１つ以上の格納位置との間での調節を提供するように適合された移動止めを有する、割り当てジョイント；ならびに
ｄ）該割り当てジョイントを、該使用者の頭への着用のための設置プラットフォームへと接続するための、１つ以上の中間部材、
を備える、設置アセンブリ。
（項目４）
前記割り当てジョイントが、少なくとも１つの回り継手を備え、該回り継手は、少なくとも右眼使用位置と左眼使用位置との間での調節を提供するように適合された移動止めを有する、項目３に記載の設置アセンブリ。
（項目５）
視力増強デバイスおよび付随する視力増強ディスプレイのための設置アセンブリであって、該アセンブリは、以下；
ａ）該視力増強ディスプレイを保持するためのディスプレイマウント；
ｂ）固定端から自由端へと延びるアームであって、使用中位置において、使用者の眼の前方に位置決め可能であり、そして該アーム上に、該ディスプレイマウントが設置され、該アームは、該使用中位置と非使用中位置との間で反転可能である、アーム；
ｃ）該アームを、該使用者の頭への着用のための設置プラットフォームに接続するための、１つ以上の中間部材、
を備える、設置アセンブリ。
（項目６）
視力増強デバイスのための設置アセンブリであって、該アセンブリは、以下：
ａ）視力増強ディスプレイを保持するためのディスプレイマウントであって、該ディスプレイマウントは、横方向での並進調節のための機構、実質的に水平な軸および実質的に垂直な軸に沿った回転調節のための１つ以上の機構、またはこれらの組み合わせを備える、ディスプレイマウント；
ｂ）固定端から自由端へと延びるアームであって、使用中位置において、使用者の眼の前方に位置決め可能である、アーム；
ｃ）該アームを、該使用者の頭への着用のための設置プラットフォームに接続するための、１つ以上の中間部材、
を備える、設置アセンブリ。
（項目７）
前記ベース部材は、該ベース部材およびデバイス架台を所望の位置に保持するための摩擦機構を備え、該摩擦機構は、解放機構の片手での操作を介して解放可能である、項目２に記載の設置アセンブリ。
（項目８）
前記解放機構が、１対のレバーを備え、該レバーが、前記摩擦機構の解放を生じるように一緒に絞られるように適合されている、項目７に記載の設置アセンブリ。
（項目９）
前記摩擦機構が、ばね付勢されたアセンブリを備え、該アセンブリにおいて、該摩擦機構が解放されるまで、１つ以上のばねが、前記ベース部材およびデバイス架台を所望の位置で保持する、項目７に記載の設置アセンブリ。
（項目１０）
前記垂直軸上、前記水平軸上、および前記光軸上での回転調節を提供するための、ばね付勢されたボールインソケット機構を備える、項目７に記載の設置アセンブリ。
（項目１１）
前記ベース部材が、設置ポストを介して前記設置プラットフォームに取り付けられており、該設置プラットフォームが、前後のスロットを備え、該スロット内で、該ベース部材が、前後への並進調節のために移動するように適合されており、該ベース部材が、摩擦機構によって、該設置プラットフォームに対してばね付勢されており、これによって、該摩擦機構が解放されるまで、該ベース部材が摩擦によって適所に保持される、項目７に記載の設置アセンブリ。
（項目１２）
前記ベース部材および視力増強デバイス架台が、以下：
１つの自由端、および前記設置プラットフォームによって保持される１つの端部を有する、設置ポスト；
該設置プラットフォームの外側表面に隣接する静止グリップであって、該静止グリップは、該設置ポストを軸方向に受容するための平坦な本体を備え、そして該静止グリップ本体から実質的に接線方向に延びる第一のレバーを有する、静止グリップ；
内側をねじ切りされた円筒形本体を備える作動ナットであって、該作動ナットは、該設置ポストと同軸であり、そして該作動ナット本体から実質的に接線方向に延びる第二のレバーを有する、作動ナット；
ねじればねであって、該ねじればねは、該作動ナットと同軸であり、そして該第一のレバーに隣接して整列される第一の突出部、および該第二のレバーに隣接して整列される第二の突出部を有し、該第一のレバーを該第二のレバーから離して偏倚させるための、ねじればね；
並進カラーであって、該並進カラーは、該設置ポスト上に軸上に設置されており、そして該作動ナット内に入れ子にされており、該並進カラーは、複数のスロットを備える円筒形の壁を有するカップを備え、該並進カラーは、該静止グリップに対して回転が固定されている、並進カラー；
摩擦カップであって、該摩擦カップは、該設置ポストに軸上で設置されており、そして該並進カラー内に入れ子にされており、該摩擦カップは、該並進カラー内の該スロットを通って延びる、外側をねじ切りされた複数の半径方向突出部を備え、該突出部は、該作動ナットの回転運動を、該摩擦カップの軸方向運動に変換するために、該作動ナットの内側のねじ山と嵌合するためのものであり、該摩擦カップは、部分球の形状の凹状内側表面を有する、摩擦カップ；
波形ばねであって、該波形ばねは、該並進カラーと該摩擦カップとの間で、該設置ポストと同軸状にコイル状になっており、該波形ばねは、該並進カラーを、該静止グリップに対して軸方向に偏倚させるためのものである、波形ばね；
を備え、
該視力増強デバイス架台が、該摩擦カップの内側表面とインターフェースするための部分的に球状のシェルを有し、該球状シェルは、該設置ポストを受け取るためのスロットを有し、該スロットは、実質的に垂直な軸に沿った該架台の回転調節を可能にするために充分な長さを有し、そして前記視力増強デバイスの光軸に沿った回転調節を可能にするために、該設置ポストの直径より充分に大きい幅を有し、そして
該視力増強デバイス架台が、球状座金を備え、該球状座金は、該設置ポストに軸上に設置され、そして該デバイス架台の内側表面と嵌合するための部分球状の凹状表面を有し、該球状座金は、該設置ポストの自由端の方への軸方向運動を抑制されている、
項目７に記載の設置アセンブリ。
（項目１３）
前記１つ以上の中間部材が、以下：
前記アームの固定端が取り付けられる割り当てジョイントであって、該割り当てジョイントは、第一の回り継手および第二の回り継手を備え、該第一の回り継手は、使用中位置と、該使用中位置の上方はまたは下方の１つ以上の格納位置との間での調節を提供するように適合された移動止めを有し、そして該第二の回り継手は、少なくとも右眼使用中位置および左眼使用中位置を含む複数の位置での間での調節を提供するように適合された移動止めを有する、割り当てジョイント；ならびに
該割り当てジョイントを前記デバイス架台に接続するための部材、
を備える、項目２に記載の設置アセンブリ。
（項目１４）
前記アームが、前記使用中位置と非使用中位置との間で反転可能である、項目２に記載の設置アセンブリ。
（項目１５）
前記ディスプレイマウントが、横方向での並進調節のための機構、実質的に水平な軸および実質的に垂直な軸に沿った回転調節のための１つ以上の機構、またはこれらの組み合わせを備える、項目２に記載の設置アセンブリ。
（項目１６）
前記１つ以上の中間部材が、以下：
前記アームの固定端が取り付けられる割り当てジョイントであって、該割り当てジョイントは、少なくとも１つの回り継手を備え、該回り継手は、使用中位置と、該使用中位置の上方または下方の１つ以上の格納位置との間での調節を提供するように適合された移動止めを有する、割り当てジョイント；および
該割り当てジョイントを前記デバイス架台に接続するための部材、
を備える、項目１５に記載の設置アセンブリ。
（項目１７）
前記割り当てジョイントが、少なくとも１つの回り継手をさらに備え、該回り継手は、少なくとも右眼使用中位置と左眼使用中位置との間での調節を提供するように適合された移動止めを有する、項目１６に記載の設置アセンブリ。
（項目１８）
前記アームが、前記使用中位置と非使用中位置との間で反転可能である、項目１５に記載の設置アセンブリ。
（項目１９）
前記アームが、前記使用中位置と非使用中位置との間で反転可能である、項目６に記載の設置アセンブリ。
（項目２０）
前記１つ以上の中間部材が、以下：
前記アームの固定端が取り付けられる割り当てジョイントであって、該割り当てジョイントは、少なくとも１つの回り継手を備え、該回り継手は、使用中位置と、該使用中位置の上方または下方の１つ以上の格納位置との間での調節を提供するように適合された移動止めを有する、割り当てジョイント；および
該割り当てジョイントを前記デバイス架台に接続するための部材、
を備える、項目１９に記載の設置アセンブリ。
（項目２１）
前記割り当てジョイントが、少なくとも１つの回り継手をさらに備え、該回り継手が、少なくとも右眼使用中位置と左眼使用中位置との間での調節を提供するように適合された移動止めを有する、項目２０に記載の設置アセンブリ。
（項目２２）
前記１つ以上の内部部材が、以下：
前記アームの固定端が取り付けられる割り当てジョイントであって、該割り当てジョイントは、少なくとも１つの回り継手を備え、該回り継手は、使用中位置と、該使用中位置の上方または下方の１つ以上の格納位置との間での調節を提供するように適合された移動止めを有する、割り当てジョイント；および
該割り当てジョイントを前記デバイス架台に接続するための部材、
を備える、項目６に記載の設置アセンブリ。
（項目２３）
前記割り当てジョイントが、少なくとも１つの回り継手をさらに備え、該回り継手が、少なくとも右眼使用中位置と左眼使用中位置との間での調節を提供するように適合された移動止めを有する、項目２２に記載の設置アセンブリ。
（項目２４）
前記１つ以上の中間部材が、以下：
前記アームの固定端が取り付けられる割り当てジョイントであって、該割り当てジョイントは、少なくとも１つの回り継手を備え、該回り継手は、使用中位置と、該使用中位置の上方または下方の１つ以上の格納位置との間での調節を提供するように適合された移動止めを有する、割り当てジョイント；および
該割り当てジョイントを前記デバイス架台に接続するための部材、
を備える、項目５に記載の設置アセンブリ。
（項目２５）
前記割り当てジョイントが、少なくとも１つの回り継手をさらに備え、該回り継手が、少なくとも右眼使用中位置と左眼使用中位置との間での調節を提供するように適合された移動止めを有する、項目２４に記載の設置アセンブリ。
（項目２６）
前記反転可能なアームが、応力をかけられた金属部材を備える、項目４に記載の設置アセンブリ。
（項目２７）
前記横方向での並進調節のための機構が、並進ナットを備え、該並進ナットは、該ナットの回転を、前記スライドの並進に変換する、項目５に記載の設置アセンブリ。
（項目２８）
前記実質的に水平な軸および実質的に垂直な軸に沿った回転微調整のための機構が、少なくとも３つの調節可能なジャッキねじのセットを備える、項目５に記載の設置アセンブリ。
（項目２９）
前記視力増強デバイスが、夜間視力を提供するための画像増倍ビデオカメラを備える、項目１に記載の設置アセンブリ。
（項目３０）
視力増強デバイスおよび付随する視力増強ディスプレイのための設置アセンブリであって、該アセンブリは、以下：
ａ）該視力増強ディスプレイを保持するためのディスプレイマウントであって、該ディスプレイは、ディスプレイ光軸を有する、ディスプレイマウント；
ｂ）固定端から自由端へと延びるアームであって、該アームは、ディスプレイを見ている使用者の眼の前方に位置決め可能であり、そして該アームに、該ディスプレイマウントが設置される、アーム；
ｃ）該使用者の頭に着用されるための設置プラットフォームに取り付けられたベース部材であって、該ベース部材は、視力増強デバイス架台のための係留点を提供し、該視力増強デバイスは、該架台内に取り付け可能であり、そして光軸を有する、ベース部材；
ｄ）該アームを該視力増強デバイス架台に接続するための、１つ以上の中間部材；
ｅ）該ディスプレイの光軸を該視力増強デバイスの光軸と整列させるため、および該ディスプレイの光軸をディスプレイを見ている該使用者の眼の視線と整列させるための、１つ以上の機構；
ｆ）該視力増強デバイスの光軸との該ディスプレイの光軸の整列を変化させることなく、複数の自由度で、該視力増強デバイスを配向するための１つ以上の機構；ならびに
ｇ）該ディスプレイを、使用中位置と少なくとも１つの格納位置との間でトグルするための１つ以上の機構、
を備える、設置アセンブリ。
（項目３１）
少なくとも右眼使用中位置と左眼使用中位置との間での調節を提供するための１つ以上の機構を備える、項目３０に記載の設置アセンブリ。
【００１８】
視力増強デバイスおよび付随する視力増強ディスプレイのための設置アセンブリであって、このアセンブリは、使用者の眼の前方に位置決め可能なアームに設置されたディスプレイ、視力増強デバイスのための架台を受容し、そして頭に設置されるプラットフォームへと取り付けるためのベース部材、およびこのアームをこの架台に接続するための１つ以上の中間部材を備える。１つの実施形態において、この設置システムは、ディスプレイの光軸を、視力増強デバイスの光軸および使用者の視線と整列させるための１つ以上の機構、ディスプレイの光軸とデバイスの光軸との整列を変化させることなく視力増強デバイスを複数の自由度で配向するための１つ以上の機構、ならびにディスプレイを、使用中位置と少なくとも１つの格納位置との間、および必要に応じて、右眼位置と左眼位置との間でトグルするための１つ以上の機構を備える。
【発明の効果】
【００１９】
本発明によって、以前に設計された、視力増強デバイスおよび付随する視力増強ディスプレイのための設置システムを改善する増強が提供される。
【発明を実施するための最良の形態】
【００２０】
（発明の詳細な説明）
次に、本発明が、図に示される例示的な実施形態に関して記載される。図１および２は、例示的な設置システム１０を示し、このシステムは、いくつかの主要な構成要素を備え、これらの構成要素の各々が、以下でさらに詳細に記載される。これらの主要な構成要素とは、図３にさらに詳細に示される、頭に設置されるプラットフォーム１２；図４および５にさらに詳細に示される、摩擦ベース２０；図６にさらに詳細に示される、デバイス架台４０；図７〜９Ｂにさらに詳細に示される、割り当てジョイント５０；図１０にさらに詳細に示される、反転アーム７０；ならびに図１２〜１４にさらに詳細に示される、ディスプレイスライドアセンブリ８０である。
【００２１】
一般に、頭に設置されるプラットフォーム１２は、摩擦ベース２０を設置するためのスロット１４および挿入オリフィス１６を提供する。スロット１４は、使用者が眼のリリーフを調節し得るように、摩擦ベース２０の前後への並進を提供する。摩擦ベース２０は、拡張した凹状の球状ネストであり、これは、使用者がこのシステムの位置を調節することを可能にする。対向するレバー（親指グリップ２５および２７）が互いの方へと圧縮される場合、この摩擦ベースは、３の回転自由度および上記並進自由度を提供する。使用者によるレバーの把持が緩和される場合、このシステムは、ばね偏倚によって付与される摩擦力によって、適所に保持される。デバイス架台４０は、視力増強デバイス（図示せず）を保持し、この視力増強デバイスは、当該分野において公知である任意の視力増強デバイスであり得、例えば、夜間視力を提供するための、画像増倍ビデオカメラであり得る。割り当てジョイント５０は、ディスプレイモジュール８２を、使用中位置と格納位置との間（図１１Ａ〜１１Ｄに示される）で移動させるための、２の回転自由度を可能にする。１つの自由度は、使用者が左右の眼の適合性のための斜角を選択することを可能にする。他の自由度は、移動止めを用いて、３つの位置（このディスプレイが上位置または下位置にある、格納のための２つの位置、およびこのディスプレイが眼の前方にある、使用のための１つの位置）を通して回転させる。反転アーム７０は、使用者がディスプレイを格納位置に回転させる前に、このディスプレイを眼からはずすことを可能にする。ディスプレイスライドアセンブリ８０は、このディスプレイの水平方向での並進を可能にして、こめかみ領域と視線との間の距離の人間工学的変動に適合させる。このスライド上のジャッキねじは、このディスプレイの光軸を、視力増強デバイスの光軸と整列させるために使用される。各構成要素が、ここで、さらに詳細に議論される。
【００２２】
図３に示されるように、頭に設置されるプラットフォーム１２は、使用者の顔の片側に隣接して位置する設置表面を備え、スロット１４は、摩擦ベース２０をプラットフォームに固定する設置ポスト２２（図５に示される）を収容するために充分に広いが、ポスト２２の平坦なヘッド２１を保持するために充分に狭い。挿入オリフィス１６は、摩擦ベース２０のプラットフォーム１２への固定、またはプラットフォーム１２からの取り外しのために、平坦なヘッド２１を受容するような大きさにされる。スロット１４は、所望の眼のリリーフ（眼からディスプレイまでの距離）の調節を提供するために充分に長く、代表的に、約１インチ以上である。プラットフォーム１２の内側表面はまた、挿入オリフィス１６の近くで突出する特徴１８を有し、摩擦ベース２０の意図されない取り外しを防止することを補助し得る。突出特徴１８は、設置ポスト２２のヘッド２１にこの突出物を越えさせて、意図されない脱係合が起こりにくくする目的で、使用者が摩擦ベース２０をプラットフォーム１２に対して圧縮することを必要とする。
【００２３】
摩擦ベース２０は、図４および５に示されるように、ばね付勢されたネストであり、これは、使用者によって作動される場合に、潰れる。親指グリップ２５および２７を一緒に絞ることによって、使用者は、動きを防止するばね偏倚されたクランプ力を、片手で解放し得、次いで、デバイス架台４０を、同じ手を使用して、４の自由度（図４に示される、水平軸Ｘ、垂直軸Ｙ、および光軸Ｚに沿った回転運動、ならびに軸Ｔに沿った並進運動）で移動させることが可能である。このシステムを所望されるように位置決めした後に、使用者は、親指グリップを放すことによって、このデバイスを所望の位置に固定する。
【００２４】
摩擦ベースの構成要素の各々が、ここで、設置プラットフォームから開始して外側へと移りながら記載される。これらの構成要素のすべては、設置ポスト２２上に設置され、ポスト２２の平坦なヘッド２１が、プラットフォーム１２のスロット１４の内側に設置される。静止グリップ２４（設置ポストを軸上で受容するための中心穴を有する平坦な円形本体を備える）が、プラットフォーム１２の外側表面の最も近くに設置される。作動ナット２８は、内部ねじ山２９を有する円筒形本体を備える。ねじればね２６は、作動ナット２８の周りで同軸上にコイル状にされる。静止グリップ２４は、第一の親指グリップレバー２５を有し、そして作動ナット２８は、第二の親指グリップレバー２７を有する。これらの親指グリップは、ねじればね２６の半径方向突出部２３とインターフェースし、その結果、ねじればね２６は、このシステムに作動負荷を提供する。
【００２５】
並進カラー３０、波形ばね３２、および摩擦カップ３４が、作動ナット２８の円筒形本体の内部に入れ子にされる。摩擦カップ３４は、外側がねじ切りされた複数の領域３５を有し、これらの領域は、並進カラー３０の開口部３１を通って突出し、そして内側のねじ山２９とインターフェースする。並進カラー３０は、非円形のスロット４７と嵌合する非円形の延長部４１を介して、静止グリップ２４に対して回転が固定される。並進カラー３０の回転の固定によって、作動ナット２８の回転運動が、摩擦カップ３４の軸方向運動に変換され、この摩擦カップは、開口部３１を通るねじ切りされた領域３５の突出によって、回転運動を抑制されているが、軸方向には自由に動く。波形ばね３２は、連続的な負荷を、摩擦カップ３４と並進カラー３０との間に付与し、これによって、非円形の延長部４１と非円形のスロット４７との間の界面を嵌合させる。
【００２６】
摩擦カップ３４は、凹状の球状の内側表面３３を有し、この表面内に、デバイス架台４０の球状シェル４２（図６に示される）が載り、玉継手を作製する。デバイス架台４０は、球状座金３６によって適所に固定され、この球状座金は、架台４０の球状の凹状内側表面と嵌合するための、球状の凸状の外側表面を有する。スナップリング３８（これは、座金３６の設置穴３７より大きい直径を有する）が、設置ポスト２２の溝３９内にはまり、球状座金を軸方向で制限し、これによって、これらの構成要素のすべてを設置ポスト２２上で一緒に保持する。
【００２７】
静止状態において、ねじればね２６の半径方向突出部２３は、摩擦カップ３４の球状表面３３が摩擦負荷をデバイス架台４０の球状表面４２に付与するまで、親指グリップ２７および２５を互いから離すように推進する。この摩擦カップは、球状座金３６および最終的に、ポスト２２の溝３９内のスナップリング３８によって、適所に保持される。デバイス架台４２の、摩擦カップ３４に対する摩擦係合は、このデバイス架台の、摩擦ベースアセンブリ２０に対する移動を防止する。使用者が親指グリップ２５および２７を互いの方へと、ねじればね２６のばね偏倚に逆らって圧縮する場合、作動ナット２８の内側のねじ山２９は、摩擦カップ３５の外側をねじ切りされた領域３５とインターフェースして、カップを頭に設置されるプラットフォーム１２の方へと引き、デバイス架台４０およびスナップリング３８に付与される垂直な力を解放し、これによって、カップ３４の内側表面３３とデバイス架台４０との間の摩擦抵抗を減少させ、そして設置ポストヘッド２１と設置プラットフォーム１２の内側表面との間の摩擦抵抗を減少させる。この減少した摩擦抵抗力は、使用者が、架台の位置を、摩擦ベースにおいて、Ｘ軸、Ｙ軸、およびＺ軸に沿って回転させること、ならびに摩擦ベースの位置を、設置プラットフォームに対して、Ｔ軸に沿って並進させることを可能にする。Ｚ軸に沿った回転の角度は、デバイス架台４０のスロット４３の幅（Ｗ）が設置ポスト２２の直径（ｄ）より大きい量によって、設定される。
【００２８】
図６に示されるように、デバイス架台４０は、保持クランプ４６（図１および２に示される）を取り付けるためのボルト固定具４４を備え、このボルト固定具は、視力増強デバイス（図示せず）を、架台において適所に保持する。図６に示されるデバイス架台４０は、画像増倍カメラモジュール（例えば、米国特許第６，５６０，０２９号（本明細書中に参考として援用される）に図示および記載されるもの）を受容するために適切であるが、当該分野において公知である任意の型の視力増強デバイスを受容するような寸法にされ得る。架台４０はまた、図７に示される、割り当てジョイント５０の円筒形移動止めばね５２のためのレセプタクル４８を備える。
【００２９】
割り当てジョイント５０は、図７〜９Ｂに示されるように、移動止めを有する２つの別個の回り継手を備える。「移動止めを有する回り継手」とは、これらの回り継手が、移動を選択された位置で停止または解放する留め金を有し、２つ以上の静止位置を作製し、これらの静止位置の間で、この回り継手がトグルされ得ることを意味する。用語「トグルする」とは、本明細書中で使用される場合、２つ以上の予め設定された機械的選択肢の間を変更することを意味する。
【００３０】
第一の回り継手（円筒形移動止めばね５２と割り当てジョイント本体５４との間の界面を備える）は、使用者が、図１１Ｃおよび１１Ｄに示される、２つの異なる折り畳み回転面の間をトグルすることを可能にする。１つの面において、格納位置にあるディスプレイは、図１１Ｃに示される上格納位置で、こめかみ領域の近くにある。別の面において、格納位置にあるディスプレイは、図１１Ｄに示される下格納位置で、頬の近くにある。
【００３１】
円筒形移動止めばね５２は、複数のプロング５３を備え、これらのプロングは、割り当てジョイント本体５４内にフィットするように一緒に圧縮され得、これによって、半径方向外向きの力を付与し得、この力は、ばねが回転される場合に、これらのプロングを、本体５４の溝６３ａまたは６３ｂのセットに捕捉させる。この捕捉は、外力が付与されることなくばね５２を適所に保持するために充分であるが、使用者がこのばねを捩る力は、この捕捉に打ち勝ち、そしてこのばねが回転し続けることを可能にする。粉塵キャップ６４は、この機構が細片（例えば、厳しい環境において吹き付ける砂）で詰まることを防止する。６３ａおよび６３ｂのような溝のセットは、割り当てジョイント本体５４の外周の回りの任意の位置に配置され得、そして任意の数の溝のセットが提供されて、所望の位置決めを達成し得る。
【００３２】
円筒形移動止めばね５２と割り当てジョイント本体５４との間のこの界面はまた、左右の眼のシステムの適合性を提供する。従って、システム１０は、摩擦ベース２０および取り付けられたアセンブリが、頭に設置されるプラットフォーム１２の右側に取り付けられて示されるが、これらの摩擦ベースおよびアセンブリはまた、頭に設置されるプラットフォーム１２の左側に設置され得、これは、図３に示される側の鏡像である。右側に設置される場合、円筒形の移動止めばね５２は、使用中位置および図１１Ｄに示される下格納位置において、溝６３ａ内に位置決めされ、そして図１１Ｃに示される上格納位置にある場合には、溝６３ｂ内にある。しかし、左側に設置される場合、割り当てジョイントは、右側に対して反転され、そしてばね５２は、使用中位置および下格納位置において、溝６３ｂ内に位置決めされ、そして上格納位置においては、溝６３ａ内にある。
【００３３】
第二の回り継手（円形の移動止めばね５６と割り当てハブ５８との間の界面を備える）は、３つの移動止めを有して、図１１Ａおよび１１Ｂに示される使用中位置と、図１１Ｃに示される上格納位置と、図１１Ｄに示される下格納位置との間でのトグルを可能にする。円筒形の移動止めばね５６は、半径方向の突出部５７（図９Ｂに最もよく示される）を有し、この突出部は、割り当てハブ５８が回転される場合に、このハブのスロット５９に嵌り、所望の捕捉および解放を作動的に提供する。反転アーム７０（図１０に示される）が、割り当てジョイント５０を、角度のついた座金６０ａと６０ｂとの間に取り付け、そしてピン６２によって、適所に保持される。止めねじ６６は、ピン６２を、割り当てジョイント５０の本体内の適所にロックする。
【００３４】
反転アーム７０は、好ましくは、ディスプレイスライドアセンブリ８０に取り付けられ、そして使用者の顔の前方に延びる、応力をかけられたシート金属部品である。使用中位置が、図１０に示される構成Ａによって、そして図１１Ａに示されるように、示される。アーム７０は、反転線７４に沿って反転され得、その結果、ディスプレイモジュール８２（図１１Ａから１１Ｄに示される）が眼から引き離される場合に、アーム７０は、図１０に示される反転構成Ｂにスナップされ、このディスプレイを、図１１Ｂに示される中間位置に置き、この位置から、使用者は、アームを、図１１Ｃおよび１１Ｄにそれぞれ示される上格納位置および下格納位置に回転させ得る。アームの反転線７４と自由端７６との間のアームの部分は、球の一部分と類似の曲率を有し得る。
【００３５】
図１２〜１４に示される、ディスプレイスライドアセンブリ８０は、２つのシステム調節（ディスプレイを見ている使用者の眼の視線から使用者の顔の面までの距離の人間工学的変動に適合するための、ディスプレイの水平方向での並進、およびデバイスの光軸に対するディスプレイの光軸の整列のための、２つの面上での小さい傾斜調節）を提供する。スライドマウント８１は、固定ねじ８６を介して、アーム７０に固定される。ディスプレイモジュール８２は、取付ねじ９０を用いて、スライドプラットフォーム８９に取り付けられる。スライドプラットフォーム８９は、中心の、外側をねじ切りされた棒９２を有し、この棒は、並進ナット８４の、内側をねじ切りされた中心穴内にフィットする。
【００３６】
例示的なディスプレイモジュール８２が、図１４に示される。このディスプレイモジュールの内部構成要素は、本発明に対して本質的ではなく、従って、このディスプレイモジュールは、当該分野において公知である任意の型のディスプレイモジュールを備え得る。しかし、１つの実施形態において、ディスプレイモジュール８２は、平面パネルディスプレイ（図示せず）（例えば、米国特許第６，５６０，０２９号（すでに参考として援用された））およびプリズム分光接眼レンズ（米国特許第５，７０１，２０２号（これもまた、本明細書中に参考として援用される）にさらに開示される）を備え得る。図１４に図示されるように、このディスプレイモジュールは、ハウジング１０２を備え得、この中で、ディスプレイ（図示せず）が、モジュールの上部１０４に設置され、そしてプリズムが、モジュール１０６の下部に設置される。このモジュールは、熱の散逸のために、排気口１０８またはルーバー（図示せず）を備え得る。ソケット１００は、この視力増強デバイスからの情報を伝達するためのケーブルを受容するように適合される。無線伝達デバイスもまた、使用され得る。
【００３７】
ディスプレイモジュール８２は、その後方に雌ありつぎ溝８３を備え、この中に、雄ありつぎスライドマウント８１がフィットして、図１１Ｂ最もよく図示されるアセンブリを作製する。ディスプレイモジュール８２の後方はまた、並進ナット８４を受容するための溝８３の内側の凹部８５、ねじ９０を受容するための穴９４、および棒９２の非円形断面の部分９８を受容するための凹部９６を備える。図１１Ｂにおいて組み立てられる場合、並進ナット８４および棒９２は、スライドマウント８１とディスプレイモジュール８２との間に挟まれ、ディスプレイモジュール８２が、ねじ９０でスライドプラットフォーム８９に固定される。
【００３８】
並進ナット８４を回すことによって、棒９２を横方向に移動させるによって、軸Ｃに沿った横方向調節が提供され、この棒は、凹部９６およびスライドプラットフォームの嵌合セクションとの、非円形断面の部分９８の界面によって、回転を防止されている。ジャッキねじ８８ａ、８８ｂおよび８８ｃは、半球形の端部８９がスライドマウント８１の後方から突出する距離を変化させることによって、軸ＡおよびＢに沿って提供される精密な回転のために調節され得る。半球形の端部８９は、ディスプレイモジュール８２の後面に当接し、これによって、面を規定し、この面内に、ディスプレイモジュール８２が設置される。ディスプレイモジュール８２の後方の溝８３（この中に、スライドマウント８１がフィットする）の深さは、このスライドマウントの厚さよりわずかに大きく、所望の量の調節がジャッキねじを使用してなされることを可能にする、遊びを作製する。
【００３９】
本明細書中に記載されるシステムは、視力増強デバイスを必要とし得る任意の型の人による、任意の型の用途（軍事および航空の用途、法執行の用途、航海の用途、保全の用途、スポーツの用途、医療用途、または仮想現実の娯楽もしくは訓練の用途が挙げられるが、これらに限定されない）において使用するための、頭に設置する視力増強デバイスのために使用され得る。
【００４０】
用語「視力増強デバイス」は、画像を捕捉し得、そしてこの画像自体が裸眼で利用可能な画像に対して何らかの様式で実際に「増強」されても、そうでなくても、ワイヤを介してかまたは無線で、この画像を、ディスプレイスクリーン上に表示されるように伝達し得る、任意の型のデバイスを包含する。いくつかの実施形態において、この視力増強デバイスは、例えば、航空、戦闘、およびスポーツの用途のために、夜間視力の能力を提供し得るデバイスを包含し得、一方で、他の実施形態において、この視力増強デバイスは、例えば、医学、製造、または保全の用途のために、作業されている領域の拡大を提供し得る。このディスプレイはまた、あるいはその代わりに、さらなる情報（例えば、航海情報）または実際の景色上に投影されたシミュレートされた画像（例えば、仮想現実の訓練および娯楽の用途）を提供し得る。いくつかの実施形態において、この視力増強デバイスは、裸眼によって見られるものと同一の視野を提供し得、ここで、「増強」は、スクリーン上に与えられたさらなる情報のみを包含する。
【００４１】
本明細書中に記載されるシステムの１つの利点は、視力増強デバイスの軸と、ディスプレイの軸との間の整列が、使用者によって、ディスプレイスライドアセンブリに対する調節を介して一度に微調整され得ること、およびその後、この視力増強デバイスの光軸の配向が、この視力増強デバイスの軸とディスプレイの軸との間の整列を乱すことなく、片手で調節され得ることである。このディスプレイはまた、視力増強デバイスの軸とディスプレイの軸との間の整列を乱すことなく、１つ以上の格納位置と使用中位置との間をトグルされ得る。
【００４２】
ディスプレイの光軸を視力増強デバイスの光軸と整列させるための機構、ディスプレイの光軸と視力増強デバイスの光軸との整列を変化させることなく視力増強デバイスを複数の自由度で配向するための機構、および使用中位置と少なくとも１つの格納位置との間でディスプレイをトグルするための機構を備える、１つの実施形態が記載されたが、他の実施形態は、これらの機構の全てより少ない機構、またはさらなる機構を提供され得る。
【００４３】
特定の機構が上記機能を提供する好ましい実施形態で示されるが、本発明は、いずれの特定の機構にも、これらの機構のためのいずれの位置にも限定されない。例えば、ディスプレイをデバイスの光軸と整列させるための微調整は、ディスプレイスライドアセンブリに設置されて示され、そして並進ナットおよびジャッキねじのセットの形態で示されるが、この微調整は、このシステムにおける他の箇所に位置し得、そして示される軸またはより少ない軸もしくはより多い軸に沿った調節に適合するために、当該分野において公知の任意の機構を備え得る。同様に、本明細書中で議論されるような割り当てジョイントは、使用中位置と格納位置との間でのトグルのための能力を提供するための、ばね／移動止め界面を有する２つの回り継手機構を備えるが、より多いかもしくはより少ない回り継手機構、および／またはより多いかもしくはより少ない選択可能な位置が提供され得、そして／あるいは本明細書中に示されるものとは異なる構成を有するばね／移動止め機構および／またはばね／移動止め界面以外の機構が提供され得る。同様に、４の自由度での視力増強デバイスの片手での調節可能性を提供するための、並進可能なボールインソケットアセンブリが、本明細書中に記載されるが、他の型のアセンブリが提供され得る場合、より多いかまたはより少ない自由度が、提供され得る。
【００４４】
本発明の好ましい実施形態が、本明細書中に図示および記載されたが、このような実施形態は、例のみによって提供されることが理解される。多数のバリエーション、変化および置換が、本発明の精神から逸脱することなく、当業者に想到される。さらに、添付の特許請求の範囲は、本発明の精神および範囲に入るような全てのバリエーションを網羅することが意図される。
【図面の簡単な説明】
【００４５】
【図１】図１は、頭に設置される例示的なプラットフォームに取り付けられた、本発明の例示的なデバイス設置システムの等角図である。
【図２】図２は、図１の例示的なデバイス設置システムの例示的なモジュールの分解図である。
【図３】図３は、例示的な設置システムをプラットフォームに取り付けるための例示的な特徴を示す、頭に設置される図１の例示的なプラットフォームの内部図である。
【図４】図４は、例示的な摩擦ベースの等角図である。
【図５】図５は、図４の摩擦ベースの分解図である。
【図６】図６は、例示的なデバイス架台の等角図である。
【図７】図７は、例示的な割り当てジョイントの等角図である。
【図８】図８は、線８−８から見た場合の、図７の割り当てジョイントの等角図である。
【図９Ａ】図９Ａは、図７および８の割り当てジョイントの分解図である。
【図９Ｂ】図９Ｂは、円形移動止めばねの正面図である。
【図１０】図１０は、使用中位置（Ａ）および格納前位置（Ｂ）を示す、例示的な反転アームの等角図である。
【図１１Ａ】図１１Ａは、取り付けられたディスプレイが使用中位置にある、図１の例示的なシステムの図示である。
【図１１Ｂ】図１１Ｂは、格納前の中間位置にある、図１１Ａのシステムの図示である。
【図１１Ｃ】図１１Ｃは、上格納位置にある、図１１Ａのシステムの図示である。
【図１１Ｄ】図１１Ｄは、下格納位置にある、図１１Ａのシステムの図示である。
【図１２】図１２は、例示的なディスプレイスライドアセンブリの片側の等角図である。
【図１３】図１３は、図１２のディスプレイスライドアセンブリの反対側の等角図である。
【図１４】図１４は、ディスプレイアセンブリに固定するための、例示的なディスプレイの等角図である。
【図１５】図１５は、ディスプレイおよびカメラの光軸、ならびに使用者の視面およびディスプレイを見ている眼の視線の図示である。
【図１】
0004613108.tif 000002
【図２】
0004613108.tif 000003
【図３】
0004613108.tif 000004
【図４】
0004613108.tif 000005
【図５】
0004613108.tif 000006
【図６】
0004613108.tif 000007
【図７】
0004613108.tif 000008
【図８】
0004613108.tif 000009
【図９Ａ】
0004613108.tif 000010
【図９Ｂ】
0004613108.tif 000011
【図１０】
0004613108.tif 000012
【図１１Ａ】
0004613108.tif 000013
【図１１Ｂ】
0004613108.tif 000014
【図１１Ｃ】
0004613108.tif 000015
【図１１Ｄ】
0004613108.tif 000016
【図１２】
0004613108.tif 000017
【図１３】
0004613108.tif 000018
【図１４】
0004613108.tif 000019
【図１５】
0004613108.tif 000020